(57)【要約】【課題】  防水性能を向上させることが可能な、及び／又は、遮音吸音性能を向上させることが可能なグロメット、また、防水性能を向上させることが可能なグロメットとワイヤハーネスとの防水構造、及びワイヤハーネスの防水構造を提供する。【解決手段】  防水性能を向上させる場合にあっては、ワイヤハーネス２４に対し接触する面に、短繊維を植毛してなる植毛部３６、３９を設けてグロメット２１を構成する。植毛部３６、３９を介在させた状態でワイヤハーネス２４との接触を図る。遮音吸音性能を向上させる場合にあっては、少なくとも環状溝３０を含む外面に、短繊維を植毛してなる遮音吸音用の植毛部を設けてグロメットを構成する。【選択図】    図１
2005122913.tif 000002
【特許請求の範囲】
【請求項１】
パネル孔と該パネル孔に挿通されるワイヤハーネスとの間に介在するグロメットであって、
外面及び／又は内面の、全部又は一部に、短繊維を植毛してなる植毛部を設けた
ことを特徴とするグロメット。
【請求項２】
パネル孔に嵌着する環状溝を外部に形成し且つ内部側には貫通孔を形成したグロメット本体と、前記内部に連通するように前記グロメット本体に連成したワイヤハーネス挿通用の挿通筒とを有するグロメットであって、
内面における前記ワイヤハーネスに対し接触する面に、短繊維を植毛してなる防水用の植毛部を設けた
ことを特徴とするグロメット。
【請求項３】
請求項２に記載のグロメットにおいて、
前記植毛部を、その先端が浸水側に向くように、前記接触する面に対して斜めに植毛して形成した
ことを特徴とするグロメット。
【請求項４】
パネル孔に嵌着する環状溝を外部に形成し且つ内部側には貫通孔を形成したグロメット本体と、前記内部に連通するように前記グロメット本体に連成したワイヤハーネス挿通用の挿通筒とを有するグロメットであって、
少なくとも前記環状溝を含む外面に、短繊維を植毛してなる遮音吸音用の植毛部を設けた
ことを特徴とするグロメット。
【請求項５】
請求項４に記載のグロメットにおいて、
前記植毛部を内面にも設けた
ことを特徴とするグロメット。
【請求項６】
パネル孔に嵌着するグロメットと、該グロメットを介在させた状態で前記パネル孔に挿通されるワイヤハーネスとの防水構造であって、
前記グロメットの内面における前記ワイヤハーネスに対し接触する面に、短繊維を植毛してなる防水用の植毛部を設け、該植毛部を介在させた状態で前記ワイヤハーネスとの接触を図るようにした
ことを特徴とするグロメットとワイヤハーネスとの防水構造。
【請求項７】
請求項６に記載のグロメットとワイヤハーネスとの防水構造において、
前記植毛部を、その先端が浸水側に向くように、前記接触する面に対して斜めに植毛して形成した
ことを特徴とするグロメットとワイヤハーネスとの防水構造。
【請求項８】
請求項６又は請求項７に記載のグロメットとワイヤハーネスとの防水構造において、
前記ワイヤハーネスの少なくとも前記グロメットに対し接触するハーネス側接触面にも、短繊維を植毛してなる防水用のハーネス側植毛部を設けた
ことを特徴とするグロメットとワイヤハーネスとの防水構造。
【請求項９】
請求項８に記載のグロメットとワイヤハーネスとの防水構造において、
前記ハーネス側植毛部を、その先端が浸水側に向くように、前記ハーネス側接触面に対して斜めに植毛して形成した
ことを特徴とするグロメットとワイヤハーネスとの防水構造。
【請求項１０】
相手部材に対して接触する面を有し、少なくとも該接触する面には、短繊維を植毛してなる防水用の植毛部を設け、該植毛部を介在させた状態で前記相手部材との接触を図るようにした
ことを特徴とするワイヤハーネスの防水構造。
【請求項１１】
請求項１０に記載のワイヤハーネスの防水構造において、
前記植毛部を、その先端が浸水側に向くように、前記接触する面に対して斜めに植毛して形成した
ことを特徴とするワイヤハーネスの防水構造。
【発明の詳細な説明】
【技術分野】
【０００１】
本発明は、パネル孔に嵌着するとともにワイヤハーネスが挿通されるグロメットに関する。また、このようなグロメットとワイヤハーネスとの防水構造、及びワイヤハーネスの防水構造に関する。
【背景技術】
【０００２】
車両パネルに形成されたパネル孔には、そのパネル孔に挿通されるワイヤハーネスとの間をシール、遮音、及び電気絶縁するための、弾性を有するグロメットが取り付けられている。
【０００３】
図７において、引用符号１は従来のグロメットを示している。そのグロメット１は、大径のグロメット本体２と小径の挿通筒３とを有しており、略漏斗形状に形成されている（例えば特許文献１参照）。グロメット本体２の外部には、車両パネル４のパネル孔５に嵌着する環状溝６が形成されている。また、グロメット本体２の内部には、グロメット軸方向に貫通する貫通孔７が形成されている。挿通筒３は、周壁によってワイヤハーネスを挿通することができるように筒状に形成されている。また、挿通筒３は、グロメット本体２の貫通孔７に連通するように、グロメット本体２の一端に連成されている。環状溝６と挿通筒３との間には、挿通筒３に向けて縮径する傾斜部８が全周にわたって形成されている。
【０００４】
上記構成において、グロメット１をパネル孔５に嵌着させるためには、先ず、小径の挿通筒３をパネル孔５に挿入し、その挿通筒３を挿入側の反対側から引っ張るようにする（図中の矢線方向に引っ張る）。挿通筒３が引っ張られると、傾斜部８がパネル孔５に当接し、その当接によって傾斜部８に弾性変形が生じる。これにより傾斜部８が縮径され、その縮径した傾斜部８がパネル孔５を摺接しながら通過すると、環状溝６がパネル孔５に嵌着する。
【０００５】
【特許文献１】特開平７−１０５７７４号公報  （第２頁、第７図）
【発明の開示】
【発明が解決しようとする課題】
【０００６】
ところで、上記従来のグロメット１にあっては、挿通筒３の周壁内面とワイヤハーネスとの間に僅かな間隙が生じると、十分な防水性能を発揮することができない場合があるという問題点を有している。
【０００７】
その他、グロメット１の嵌着部分にあっては、車両パネル４の一方側から他方側へ（例えばエンジンルームから車室内へ）、又は他方側から一方側へ音が抜ける場合があるという問題点を有している。
【０００８】
本発明は、上述した事情に鑑みてなされるもので、防水性能を向上させることが可能な、及び／又は、遮音吸音性能を向上させることが可能なグロメットを提供することを課題とする。また、防水性能を向上させることが可能なグロメットとワイヤハーネスとの防水構造、及びワイヤハーネスの防水構造を提供することを課題とする。
【課題を解決するための手段】
【０００９】
上記課題を解決するためなされた請求項１記載の本発明のグロメットは、パネル孔と該パネル孔に挿通されるワイヤハーネスとの間に介在するグロメットであって、外面及び／又は内面の、全部又は一部に、短繊維を植毛してなる植毛部を設けたことを特徴としている。このような特徴を有する本発明によれば、グロメットとワイヤハーネスとの接触部分に間隙が生じるような場合であっても、その間隙に植毛部の短繊維が入り込み、水の浸入が阻止されるようになる。一方、上記以外の植毛部の場合には、その植毛部により吸音効果が得られるようになる。特に、パネル孔に対して接触する部分に関しては、そのパネル孔周辺部分を含めた遮音効果が更に得られるようになる。尚、植毛方法としては、特に限定するものではないが、微細な毛を植毛する際に用いられる既知の静電植毛が好適であるものとする（以下同様）。
【００１０】
上記課題を解決するためなされた請求項２記載の本発明のグロメットは、パネル孔に嵌着する環状溝を外部に形成し且つ内部側には貫通孔を形成したグロメット本体と、前記内部に連通するように前記グロメット本体に連成したワイヤハーネス挿通用の挿通筒とを有するグロメットであって、内面における前記ワイヤハーネスに対し接触する面に、短繊維を植毛してなる防水用の植毛部を設けたことを特徴としている。このような特徴を有する本発明によれば、グロメットのワイヤハーネスに対し接触する面と、ワイヤハーネスとの間に間隙が生じるような場合であっても、その間隙に植毛部の短繊維が入り込み、水の浸入が阻止されるようになる。尚、植毛部は防水用の植毛部であり、撥水性の微細な毛を植毛することや、撥水処理を施した微細な毛を植毛することにより本発明に適用されるものとする（以下同様）。
【００１１】
請求項３記載の本発明のグロメットは、請求項２に記載のグロメットにおいて、前記植毛部を、その先端が浸水側に向くように、前記接触する面に対して斜めに植毛して形成したことを特徴としている。このような特徴を有する本発明によれば、植毛部の短繊維とワイヤハーネスとの接触状態がよりよくなり、水の浸入阻止が一層良好になる。
【００１２】
上記課題を解決するためなされた請求項４記載の本発明のグロメットは、パネル孔に嵌着する環状溝を外部に形成し且つ内部側には貫通孔を形成したグロメット本体と、前記内部に連通するように前記グロメット本体に連成したワイヤハーネス挿通用の挿通筒とを有するグロメットであって、少なくとも前記環状溝を含む外面に、短繊維を植毛してなる遮音吸音用の植毛部を設けたことを特徴としている。このような特徴を有する本発明によれば、環状溝に設けられる植毛部により、パネル孔周辺部分の振動が吸収され遮音がなされる。また、環状溝以外の植毛部により、吸音もなされる。
【００１３】
請求項５記載の本発明のグロメットは、請求項４に記載のグロメットにおいて、前記植毛部を内面にも設けたことを特徴としている。このような特徴を有する本発明によれば、グロメットの内部でも吸音がなされる。グロメット内部の空間において音が反響するようなことはない。また、グロメット内部から外部に音が抜けるようなこともない。
【００１４】
上記課題を解決するためなされた請求項６記載の本発明のグロメットとワイヤハーネスとの防水構造は、パネル孔に嵌着するグロメットと、該グロメットを介在させた状態で前記パネル孔に挿通されるワイヤハーネスとの防水構造であって、前記グロメットの内面における前記ワイヤハーネスに対し接触する面に、短繊維を植毛してなる防水用の植毛部を設け、該植毛部を介在させた状態で前記ワイヤハーネスとの接触を図るようにしたことを特徴としている。このような特徴を有する本発明によれば、グロメットのワイヤハーネスに対し接触する面と、ワイヤハーネスとの間に間隙が生じるような場合であっても、その間隙に植毛部の短繊維が入り込み、水の浸入が阻止されるようになる。
【００１５】
請求項７記載の本発明のグロメットとワイヤハーネスとの防水構造は、請求項６に記載のグロメットとワイヤハーネスとの防水構造において、前記植毛部を、その先端が浸水側に向くように、前記接触する面に対して斜めに植毛して形成したことを特徴としている。このような特徴を有する本発明によれば、植毛部の短繊維とワイヤハーネスとの接触状態がよりよくなり、水の浸入阻止が一層良好になる。
【００１６】
請求項８記載の本発明のグロメットとワイヤハーネスとの防水構造は、請求項６又は請求項７に記載のグロメットとワイヤハーネスとの防水構造において、前記ワイヤハーネスの少なくとも前記グロメットに対し接触するハーネス側接触面にも、短繊維を植毛してなる防水用のハーネス側植毛部を設けたことを特徴としている。このような特徴を有する本発明によれば、グロメットの植毛部とワイヤハーネスのハーネス側植毛部とが密に接触し合うようになる。水の浸入阻止がより一層良好になる。
【００１７】
請求項９記載の本発明のグロメットとワイヤハーネスとの防水構造は、請求項８に記載のグロメットとワイヤハーネスとの防水構造において、前記ハーネス側植毛部を、その先端が浸水側に向くように、前記ハーネス側接触面に対して斜めに植毛して形成したことを特徴としている。このような特徴を有する本発明によれば、グロメットの植毛部とワイヤハーネスのハーネス側植毛部との接触状態がよりよくなり、水の浸入阻止がより一層良好になる。
【００１８】
上記課題を解決するためなされた請求項１０記載の本発明のワイヤハーネスの防水構造は、相手部材に対して接触する面を有し、少なくとも該接触する面には、短繊維を植毛してなる防水用の植毛部を設け、該植毛部を介在させた状態で前記相手部材との接触を図るようにしたことを特徴としている。このような特徴を有する本発明によれば、相手部材と、相手部材に対して接触する面と間に間隙が生じるような場合であっても、その間隙に植毛部の短繊維が入り込み、水の浸入が阻止されるようになる。
【００１９】
請求項１１記載の本発明のワイヤハーネスの防水構造は、請求項１０に記載のワイヤハーネスの防水構造において、前記植毛部を、その先端が浸水側に向くように、前記接触する面に対して斜めに植毛して形成したことを特徴としている。このような特徴を有する本発明によれば、相手部材とワイヤハーネスの植毛部の短繊維との接触状態がよりよくなり、水の浸入阻止が一層良好になる。
【発明の効果】
【００２０】
請求項１に記載された本発明によれば、防水性能を向上させることが可能な、及び／又は、遮音吸音性能を向上させることが可能なグロメットを提供することができるという効果を奏する。
【００２１】
請求項２に記載された本発明によれば、防水性能を向上させることが可能なグロメットを提供することができるという効果を奏する。
【００２２】
請求項３に記載された本発明によれば、より一層防水性能を向上させることができるという効果を奏する。
【００２３】
請求項４に記載された本発明によれば、遮音吸音性能を向上させることが可能なグロメットを提供することができるという効果を奏する。
【００２４】
請求項５に記載された本発明によれば、より一層遮音吸音性能を向上させることができるという効果を奏する。
【００２５】
請求項６に記載された本発明によれば、防水性能を向上させることが可能なグロメットとワイヤハーネスとの防水構造を提供することができるという効果を奏する。
【００２６】
請求項７、８、９に記載された本発明によれば、より一層防水性能を向上させることができるという効果を奏する。
【００２７】
請求項１０に記載された本発明によれば、防水性能を向上させることが可能なワイヤハーネスの防水構造を提供することができるという効果を奏する。
【００２８】
請求項１１に記載された本発明によれば、より一層防水性能を向上させることができるという効果を奏する。
【発明を実施するための最良の形態】
【００２９】
以下、図面を参照しながら説明する。図１は本発明のグロメット（第一例）及び防水構造の一実施の形態を示す断面図である。
【００３０】
図１において、引用符号２１で示される本発明のグロメットは、ゴム又はエラストマー製の弾性を有するものであって、例えば車両パネル２２に貫通形成されるパネル孔２３と、そのパネル孔２３に挿通されるワイヤハーネス２４との間をシール、遮音、及び電気絶縁するために設けられている。また、本発明のグロメット２１は、大径のグロメット本体２５と、そのグロメット本体２５の一端に連成される小径の挿通筒２６とを有して構成されている。以下、上記構成について詳細に説明する。
【００３１】
上記グロメット本体２５は、パネル嵌着部２７と貫通孔２８と内部空間２９とを有している（一例であるものとする。すなわち、従来例のような構造でもよいものとする）。パネル嵌着部２７は、グロメット本体２５の外部に形成される部分であって、環状溝３０と傾斜部３１と貫通孔形成部３２とを有している。パネル嵌着部２７は、グロメット周方向の全周にわたって形成されている。
【００３２】
環状溝３０は、パネル孔２３に嵌着するように溝状に形成されている。また、環状溝３０は、パネル孔２３に合わせた径を有するように環状に形成されている。このような環状溝３０の底部分には、特に図示しないが、パネル孔２３の孔面に対して密着するような環状の凸部が形成されている（凸部の設定は任意であるものとする）。
【００３３】
傾斜部３１は、グロメット２１の取り付けの際にパネル孔２３を通過する部分であって、環状溝３０よりもグロメット本体２５の上記一端側に形成されている。また、傾斜部３１は、環状溝３０に連成されている。このような傾斜部３１は、例えば図示のような曲面を有しており、グロメット本体２５の上記一端側に向けて縮径するように形成されている。傾斜部３１には、頂部３３が形成されている。その頂部３３の位置は、パネル孔２３の径よりも大きくなるように設定されている。
【００３４】
貫通孔形成部３２は、環状溝３０よりもグロメット本体２５の他端側に形成されている。また、貫通孔形成部３２は、環状溝３０が嵌着するパネル孔２３の縁部を傾斜部３１と共に挟み込む部分３４と、貫通孔２８を形成するための内方に向く環状板の部分３５とを有して形成されている。上記挟み込む部分３４には、特に図示しないが、パネル孔２３の縁部に密着するような環状のリップが形成されている（リップの設定は任意であるものとする）。
【００３５】
貫通孔２８は、貫通孔形成部３２の上記環状板の部分３５の孔面に形成される部分であって、グロメット軸方向に貫通するように形成されている。また、貫通孔２８は、挿通されるワイヤハーネス２４よりも若干小さな径、若しくは同一径となるように形成されている。このような貫通孔２８は、上記孔面がワイヤハーネス２４に対して本来、接触するようになっているが、本形態の貫通孔２８には、本発明の要旨となる一つ目の植毛部３６が設けられている。
【００３６】
植毛部３６は、既知の静電植毛（特に限定するものではない）等の方法を用いて、産毛のような微細な毛（短繊維）を植毛することにより形成されている。また、植毛部３６は、よりよい防水性能を持たせるために、撥水性のある微細な毛を植毛することや、撥水処理を施した微細な毛を植毛することにより形成されている。このような植毛部３６は、貫通孔２８の全周にわたって設けられている。また、植毛部３６は、貫通孔２８の一方の開口縁から他方の開口縁にわたって（途中まででもよいものとする）設けられている。
【００３７】
尚、本形態の植毛部３６の上記微細な毛は、貫通孔２８の上記孔面に対して直交するように植毛されている。また、上記微細な毛の長さは、ワイヤハーネス２４と貫通孔２８との間に仮に間隙が生じた場合に、その間隙に入り込んで間隙を確実に埋められるような長さに設定されている。図中においては、上記微細な毛が間隔を開けて植毛されているように示されているが、実際には密に植毛されているものとする。
【００３８】
内部空間２９は、グロメット本体２５の内部に形成される部分であって、貫通孔２８の径よりも十分に大きく、その貫通孔２８が連通するようになっている。また、貫通孔２８が連通する部分の反対側には、上記挿通筒２６の内部が連通するようになっている。
【００３９】
上記挿通筒２６は、ワイヤハーネス２４を挿通することができるように周壁３７によって筒状に形成されている。このような挿通筒２６は、挿通されるワイヤハーネス２４よりも若干小さな径、若しくは同一径となるように形成されている。また、挿通筒２６は、グロメット本体２５の内部空間２９及び貫通孔２８に連通するように、グロメット本体２５の上記一端に連成されている。
【００４０】
挿通筒２６のグロメット軸方向の長さは、例えばグロメット本体２５とほぼ同じくらいの長さに形成されている。また、このような長さの挿通筒２６の外周面は、ワイヤハーネス２４に対してのテープ巻き部分３８として設定されている。挿通筒２６の内周面は、本発明の要旨となる二つ目の植毛部３９が設けられている。
【００４１】
植毛部３９は、一つ目の植毛部３６と同様に、既知の静電植毛（特に限定するものではない）等の方法を用いて、産毛のような微細な毛を植毛することにより形成されている。また、植毛部３９は、一つ目の植毛部３６と同様に、よりよい防水性能を持たせるために、撥水性のある微細な毛を植毛することや、撥水処理を施した微細な毛を植毛することにより形成されている。このような植毛部３９は、挿通筒２６の内周面全周にわたって設けられている。また、植毛部３９は、挿通筒２６の一方の開口縁から他方の開口縁にわたって（途中まででもよいものとする）設けられている。
【００４２】
尚、本形態の植毛部３９の上記微細な毛は、挿通筒２６の内周面に対して直交するように植毛されている。また、上記微細な毛の長さは、ワイヤハーネス２４と挿通筒２６の内周面との間に仮に間隙が生じた場合に、その間隙に入り込んで間隙を確実に埋められるような長さに設定されている。図中においては、上記微細な毛が間隔を開けて植毛されているように示されているが、実際には密に植毛されているものとする。
【００４３】
上記構成に基づいて一連の作業を説明する（一例であるものとする）。先ず、ワイヤハーネス２４にグロメット２１を取り付ける作業を行う。ワイヤハーネス２４にグロメット２１が取り付けられると、植毛部３６及び３９を介在させた状態で、グロメット２１のワイヤハーネス２４に対して接触する面と、ワイヤハーネス２４とが密着し合う。次に、ワイヤハーネス２４とテープ巻き部分３８とをテープ巻きして、これらを固定する作業を行う。続いて、グロメット２１をパネル孔２３に嵌着させる作業を行う。
【００４４】
グロメット２１をパネル孔２３に嵌着させるためには、先ず、小径の挿通筒２６をパネル孔２３に挿入し、その挿通筒２６を挿入側の反対側からワイヤハーネス２４とともに引っ張るようにする。挿通筒２６がワイヤハーネス２４とともに引っ張られると、傾斜部３１がパネル孔２３に当接し、その当接によって傾斜部３１に弾性変形が生じる。これにより傾斜部３１が縮径され、その縮径した傾斜部３１がパネル孔２３を摺接しながら通過すると、環状溝３０がパネル孔２３に嵌着する。環状溝３０がパネル孔２３に完全に嵌着すると、グロメット２１の取り付けが完了し、一連の作業が完了する。
【００４５】
次に、図２を参照しながら、本発明によるグロメット（第二例）及び防水構造の一実施の形態を説明する。図２はグロメット（第二例）及び防水構造の一実施の形態を示す断面図である。
【００４６】
図２において、引用符号２１′で示される本発明のグロメットは、上述のグロメット２１に対して次の点のみが異なっている。すなわち、図２からも分かるように、植毛された微細な毛の向きのみが異なっている（他は同じであり同一符号付して作用及び作業等の説明を省略する）。植毛部３６′及び３９′は、全ての微細な毛の先端の向きが浸水方向を示す矢線Ｐ側に向くように斜めに植毛されている（図２においては右方向に向くように斜めに植毛されている）。植毛部３６′及び３９′は、ワイヤハーネス２４との接触状態をよりよくし、水の浸入阻止を一層良好にするために、全ての微細な毛の向きを図１の植毛部３６及び３９と異なるように形成されている。
【００４７】
以上、図１及び図２を参照しながら説明してきたように、グロメット２１（２１′）のワイヤハーネス２４に対し接触する面と、ワイヤハーネス２４との間に仮に間隙が生じるような場合があっても、その間隙に植毛部３６及び３９（３６′及び３９′）の微細な毛（短繊維）を入り込ませて水の浸入を阻止することができる。従って、従来よりも防水性能を向上させることができる。
【００４８】
続いて、図３及び図４を参照しながら本発明によるグロメットとワイヤハーネスとの防水構造の他の一実施の形態を説明する。図３は他の一実施の形態を示す断面図、図４は図３のワイヤハーネスを示す図である。尚、上述の形態と同じ構成には同一の符号を付してその詳細な説明を省略するものとする。
【００４９】
図３及び図４において、パネル孔２３に嵌着した状態で示されるグロメット２１′には、ワイヤハーネス２４′が挿通されている。そのワイヤハーネス２４′は、上述のワイヤハーネス２４に対して次の点のみが異なっている。すなわち、図３及び図４（ｃ）〜（ｆ）からも分かるように、ワイヤハーネス２４′を構成する電線４０自身にも引用符号４１で示されるようなハーネス側植毛部が設けられている。
【００５０】
ハーネス側植毛部４１は、既知の静電植毛（特に限定するものではない）等の方法を用いて、産毛のような微細な毛を電線４０の表面に植毛することにより形成されている。また、ハーネス側植毛部４１は、よりよい防水性能を持たせるために、撥水性のある微細な毛を植毛することや、撥水処理を施した微細な毛を植毛することにより形成されている。さらに、ハーネス側植毛部４１は、全ての微細な毛の先端の向きが浸水方向を示す矢線Ｐ側に向くように斜めに植毛されている（図３においては右方向に向くように斜めに植毛されている）。このようなハーネス側植毛部４１は、少なくともグロメット２１′に挿通される範囲Ｑにわたって設けられている。ワイヤハーネス２４′は、ハーネス側植毛部４１を有する電線４０を複数束ねてなるものであり、止水機能を有するようなものになっている。
【００５１】
尚、ハーネス側植毛部４１は、図４（ａ）、（ｂ）に示されるような、微細な毛が電線４０の表面に対して直交するような植毛となるハーネス側植毛部４２であってもよいものとする。ハーネス側植毛部４１、４２における微細な毛の長さは、グロメット２１′の植毛部３６′及び３９′とワイヤハーネス２４′のハーネス側植毛部４１、４２とが密に接触し合うようになればよいものとする。
【００５２】
以上、図３及び図４を参照しながら説明してきたように、グロメット２１′に対し接触するハーネス側の接触面（電線４０の表面）にも、防水用のハーネス側植毛部４１（４２）が設けられていることから、水の浸入阻止をより一層良好に行うことができる。
【００５３】
尚、上述の形態では、グロメット２１′（又は２１）を例に挙げて説明しているが、これに替えて、植毛部のない従来例で示したようなグロメット（相手部材）を用いてワイヤハーネス２４′を挿通するようにしてもよいものとする。ワイヤハーネス２４′のハーネス側植毛部（植毛部）４１や４２のみであっても十分に水の浸入阻止を行えるからである。ワイヤハーネス２４′は、グロメット以外の相手部材との防水にも有用であることは勿論である。
【００５４】
続いて、図５及び図６を参照しながら本発明によるグロメット（第三例）の一実施の形態を説明する。図５はグロメット（第三例）の一実施の形態を示す断面図、図６は図５のグロメットをパネル孔に嵌着させた状態の断面図である。尚、上述の形態と同じ構成には同一の符号を付してその詳細な説明を省略するものとする。
【００５５】
図５及び図６において、引用符号５１で示される本発明のグロメットは、ゴム又はエラストマー製の弾性を有するものであって、例えば車両パネル２２に貫通形成されるパネル孔２３と、そのパネル孔２３に挿通されるワイヤハーネス２４との間をシール、遮音、及び電気絶縁するために設けられている。また、本発明のグロメット５１は、大径のグロメット本体２５と、そのグロメット本体２５の一端に連成される小径の挿通筒２６とを有して構成されている。
【００５６】
グロメット本体２５は、パネル嵌着部２７と貫通孔２８と内部空間２９とを有している（一例であるものとする。すなわち、従来例のような構造でもよいものとする）。パネル嵌着部２７は、グロメット本体２５の外部に形成される部分であって、環状溝３０と傾斜部３１と貫通孔形成部３２とを有している。貫通孔２８は、本来、ワイヤハーネス２４が接触する面であって、内部空間２９に連通するように配置形成されている。内部空間２９は、グロメット本体２５の内部に形成されている。挿通筒２６は、ワイヤハーネス２４を挿通することができるように周壁３７によって筒状に形成されている。挿通筒２６は、その内部が内部空間２９に連通するように配置形成されている。
【００５７】
グロメット本体２５と挿通筒２６との外面及び内面には、本発明の要旨となる植毛部５２が設けられている。植毛部５２は、遮音吸音性能を向上させるための部分であって、上記外面及び内面の全部にわたって設けられている。植毛部５２は、既知の静電植毛（特に限定するものではない）等の方法を用いて、産毛のような微細な毛（短繊維）を植毛することにより形成されている。
【００５８】
尚、植毛部５２は、上記外面及び／又は内面の一部、すなわち、外面のみや内面のみ、或いは環状溝３０とその近傍のみ等に設けてもよいものとする。
【００５９】
以上、図５及び図６を参照しながら説明してきたように、環状溝３０とその近傍に跨って設けられる植毛部５２により、パネル孔２３の周辺部分（例えば図６の円Ｃの部分）の振動を吸収することができる。従って、パネル孔２３の周辺部分を遮音することができる。また、環状溝３０以外の植毛部５２により、吸音もすることができる。従って、従来よりも遮音吸音性能を向上させることができる。
【００６０】
その他、本発明は本発明の主旨を変えない範囲で種々変更実施可能なことは勿論である。
【図面の簡単な説明】
【００６１】
【図１】本発明によるグロメット（第一例）及び防水構造の一実施の形態を示す断面図である。
【図２】本発明によるグロメット（第二例）及び防水構造の一実施の形態を示す断面図である。
【図３】図２のグロメットによる防水構造の他の一実施の形態を示す断面図である。
【図４】図３のワイヤハーネスを示す図であり、（ａ）は垂直に植毛した場合の電線長手方向の断面図、（ｂ）は（ａ）に対する電線径方向の断面図、（ｃ）は斜めに植毛した場合の電線長手方向の断面図、（ｄ）は（ｃ）に対する電線径方向の断面図、（ｅ）は（ｃ）の電線を束ねた状態の断面図、（ｆ）は（ｅ）に対する電線径方向の断面図である。
【図５】本発明によるグロメット（第三例）の一実施の形態を示す断面図である。
【図６】図５のグロメットをパネル孔に嵌着させた状態の断面図である。
【図７】従来例のグロメットの断面図である。
【符号の説明】
【００６２】
２１、２１′  グロメット
２２  車両パネル
２３  パネル孔
２４、２４′  ワイヤハーネス
２５  グロメット本体
２６  挿通筒
２７  パネル嵌着部
２８  貫通孔
２９  内部空間
３０  環状溝
３１  傾斜部
３２  貫通孔形成部
３３  頂部
３４  挟み込む部分
３５  環状板の部分
３６、３６′、３９、３９′  植毛部
３７  周壁
３８  テープ巻き部分
４０  電線
４１、４２  ハーネス側植毛部（植毛部）
５１  グロメット
５２  植毛部
【図１】
2005122913.tif 000003
【図２】
2005122913.tif 000004
【図３】
2005122913.tif 000005
【図４】
2005122913.tif 000006
【図５】
2005122913.tif 000007
【図６】
2005122913.tif 000008
【図７】
2005122913.tif 000009